(57)【特許請求の範囲】
【請求項１】
車両用シートの背もたれ部の少なくとも一部を形成する左右一対の縦フレームと、
左右方向に延びるフレーム本体部及び、当該フレーム本体部の左右両端に設けられた左右一対の組み付け部を含む横フレームと、
前記左右一対の組み付け部に組み付けられて前記縦フレームに対して前記横フレームを保持する左右一対の保持機構と、を備え、
前記組み付け部は、前記保持機構が組み付けられた状態で、前記縦フレームに対する前記フレーム本体部の上下移動を規制すると共に、前記縦フレームに対する前記フレーム本体部の後方移動を可能に形成され、
前記横フレームが、その後面を前記縦フレームの前面に当接させる第１フランジ部をさらに含み、当該第１フランジ部の強度が前記フレーム本体部の強度よりも低く設定される
ことを特徴とするシートバックフレーム構造。
【請求項２】
前記第１フランジ部の根元部分に切り欠き部を設けた
請求項１に記載のシートバックフレーム構造。
【請求項３】
前記横フレームが前記フレーム本体部の左右両端から前方に延出する左右一対の第２フランジ部を有し、前記保持機構がボルトを含み、前記組み付け部が前記第２フランジ部に設けられて前記ボルトを挿入するガイド溝で形成され、前記ガイド溝の上下方向の開口幅が、前記ボルトに対して前記横フレームの上下方向への移動を規制する幅で設定され、前記ガイド溝の前後方向の開口幅が上下方向の開口幅よりも広幅に形成されている
請求項１または２に記載のシートバックフレーム構造。
【発明の詳細な説明】
【技術分野】
【０００１】
本発明は、シートバックフレーム構造に関し、特に、車両用シートのシートバックフレーム構造に関する。
【背景技術】
【０００２】
車両用シートのフレーム構造として、縦フレーム間に架け渡されたクロスメンバを後突時に後方に移動又は変形させて衝撃エネルギを効果的に吸収させることで、乗員の保護を図るシートバックフレーム構造が知られている（例えば、特許文献１〜３参照）。
【先行技術文献】
【特許文献】
【０００３】
【特許文献１】特開２００４−１６７０８号公報
【特許文献２】特開２００１−２３９８７１号公報
【特許文献３】特開２００１−７１８０２号公報
【発明の概要】
【発明が解決しようとする課題】
【０００４】
一般的なシートバックフレーム構造は、乗員の腰椎を支持するクロスメンバを左右一対の縦フレーム間に架け渡すと共に、クロスメンバの左右両端をボルトナットによって縦フレームに強固に固定することで、フレーム全体の剛性を高めている。そのため、後突時に乗員上体のシートバックへの進入が阻害されると共に、乗員がシート上部に浮き上がるように移動され、ヘッドレストの拘束性能を十分に発揮できない課題がある。
【０００５】
また、特許文献１，３記載の技術では、後突時にクロスメンバの一部を変形させるため、シートバック構造の剛性が低くなる課題がある。さらに、特許文献２記載の技術では、後突時の衝撃エネルギを吸収する際に、縦フレームの一部を破断させると共にクロスメンバを段付きボルトと一体にスライド移動させるため、構成部品の強度を確保する必要があり、コストの上昇等を招く課題がある。
【０００６】
本発明の目的は、後突時における乗員上体のシートバックへの進入を阻害することなく、衝撃を効果的に吸収することができるシートバックフレーム構造を提供することにある。
【課題を解決するための手段】
【０００７】
上記目的を達成するため、本発明のシートバックフレーム構造は、車両用シートの背もたれ部の少なくとも一部を形成する左右一対の縦フレームと、左右方向に延びるフレーム本体部及び、当該フレーム本体部の左右両端に設けられた左右一対の組み付け部を含む横フレームと、前記左右一対の組み付け部に組み付けられて前記縦フレームに対して前記横フレームを保持する左右一対の保持機構とを備え、前記組み付け部は、前記保持機構が組み付けられた状態で、前記縦フレームに対する前記フレーム本体部の上下移動を規制すると共に、前記縦フレームに対する前記フレーム本体部の後方移動を可能に形成されているものである。
【０００８】
また、前記横フレームが、その後面を前記縦フレームの前面に当接させる第１フランジ部をさらに含み、当該第１フランジ部の強度が前記フレーム本体部の強度よりも低く設定されることが好ましい。
【０００９】
また、前記第１フランジ部の根元部分に切り欠き部を設けることが好ましい。
【００１０】
また、前記横フレームが前記フレーム本体部の左右両端から前方に延出する左右一対の第２フランジ部を有し、前記保持機構がボルトを含み、前記組み付け部が前記第２フランジ部に設けられて前記ボルトを挿入するガイド溝で形成され、前記ガイド溝の上下方向の開口幅が、前記ボルトに対して前記横フレームの上下方向への移動を規制する幅で設定され、前記ガイド溝の前後方向の開口幅が上下方向の開口幅よりも広幅に形成されていることが好ましい。
【発明の効果】
【００１１】
本発明のシートバックフレーム構造によれば、後突時における乗員上体のシートバックへの進入を阻害することなく、衝撃を効果的に吸収することができる。
【図面の簡単な説明】
【００１２】
【図１】本発明の一実施形態に係るシートバックフレーム構造が適用された車両用シートを示す模式的な斜視図である。
【図２】本実施形態のシートバックフレーム構造の要部を示す模式的な斜視図である。
【図３】図２のＡ−Ａ線断面図である。
【図４】本実施形態のクロスメンバの縦フレームへの組み付け手順を説明する模式的な組み立て分解図である。
【図５】（ａ）は通常時における本実施形態のシートバックフレーム構造の要部、（ｂ）は後突時における本実施形態のシートバックフレーム構造の要部を示す模式的な側面図である。
【発明を実施するための形態】
【００１３】
以下、添付図面に基づいて、本発明の一実施形態に係るシートバックフレーム構造を説明する。同一の部品には同一の符号を付してあり、それらの名称及び機能も同じである。したがって、それらについての詳細な説明は繰返さない。
【００１４】
図１は本実施形態のシートバックフレーム構造１０が適用された車両用シート１を示す斜視図である。車両用シート１は、座部２と、座部２に対してリクライニング装置３を介して傾動可能に組み付けられたシートバック４と、シートバック４の上部に組み付けられたヘッドレスト５とを備えている。
【００１５】
シートバックフレーム構造１０は、上下方向に延在する左右一対の縦フレーム１１と、縦フレーム１１の上端部間に左右方向に架設された上部フレーム１２と、左右方向に延在するクロスメンバ２０と、段付きボルト３２と、ナット部材３３とを備えている。なお、クロスメンバ２０は、本発明の横フレームの一例であり、段付きボルト３２及びナット部材３３は、本発明の保持機構の一例として好ましい。
【００１６】
縦フレーム１１は、横側面と、横側面の前端からシートバック４の左右方向内側に延出する前側面と、横側面の後端からシートバック４の左右方向内側に延出する後側面とを有し、例えば平板状の金属部材等を略コ字状に屈曲して形成されている。縦フレーム１１の横側面は、下端側から上端側に向かって幅狭となるように略三角状に形成されると共に、その下端部をリクライニング装置３に固定されている。また、縦フレーム１１の横側面には、段付きボルト３２を挿入するボルト挿入孔１１Ａ（図３参照）が設けられると共に、その左右方向内側面にはナット部材３３が溶接等で固定されている。
【００１７】
より詳しくは、ブッシュ３１（図２，３に示す）を嵌め込んだ段付きボルト３２をナット部材３３と螺合することで、詳細を後述するクロスメンバ２０の組み付け用フランジ部２２をスライド可能に挟持（保持）するように構成されている。なお、ボルト挿入孔１１Ａを設ける高さ位置は、車両用シート１に座った乗員の要部と一致する高さに設定することが好ましい。これにより、クロスメンバ２０を腰椎支持として機能させられる。
【００１８】
上部フレーム１２は、例えばパイプ状の金属部材の左右両端を下向きに折り曲げて略Ｕ字状に形成されると共に、その左右両下端部を縦フレーム１１の上端部に溶接等で固定されている。また、上部フレーム１２の左右中間部には、ヘッドレスト５を組み付けるための一対の筒状ブラケット１２ａが固定されている。
【００１９】
クロスメンバ２０は、例えば金属材料等で形成された板部材であって、その前側面を縦フレーム１１の後側面に当接させて左右方向に延びるフレーム本体部２１と、フレーム本体部２１の左右両端から前方に延出して、その左右方向内側面を縦フレーム１１の横側面と当接させた左右一対の組み付け用フランジ部（第２フランジ部）２２と、組み付け用フランジ部２２の前端から内側に延出すると共に、その後側面を縦フレーム１１の前側面に当接させた左右一対の位置決め用フランジ部（第１フランジ部）２３とを備えている。
【００２０】
より詳しくは、図２，３に示すように、組み付け用フランジ部２２には、本発明の受容部の一例である一対のガイド溝３０が形成されている。このガイド溝３０は、上下方向の開口幅を段付きボルト３２の外径と略同一に設定されると共に、前後方向の開口幅を段付きボルト３２の外径よりも長くて設定されている。すなわち、段付きボルト３２によって、クロスメンバ２０の上下方向の移動が規制される一方、前後方向の移動が許容されるように構成されている。
【００２１】
位置決め用フランジ部２３は、縦フレーム１１に対するクロスメンバ２０の組み付け位置を決めるもので、組み付け用フランジ部２２の前端部から略直角に延設されている。より詳しくは、図４に示すように、クロスメンバ２０を縦フレーム１１に組み付ける際は、位置決め用フランジ部２３の後側面を縦フレーム１１の前側面に当接させると、ガイド溝３０内の後端側にボルト挿入孔１１Ａが位置される（ステップＳ１０）。そして、ブッシュ３１を嵌め込んだ段付きボルト３２をガイド溝３０及びボルト挿入孔１１Ａに挿入して、ナット部材３３（図１，３にのみ示す）と螺合するのみで（ステップＳ２０）、クロスメンバ２０の位置決め及び組み付けが容易に行えるように構成されている。
【００２２】
また、本実施形態の位置決め用フランジ部２３は、車両後突時の衝撃吸収機能も有する。より詳しくは、図２に示すように、位置決め用フランジ部２３の根元部には、一対の切り欠き部（ノッチ）２３Ａが設けられており、その強度を組み付け用フランジ部２２やフレーム本体部２１よりも小さく設定されている。
【００２３】
すなわち、通常時は、図５（ａ）に示すように、位置決め用フランジ部２３がクロスメンバ２０の後方へのスライド移動を防止する一方、車両の後突時は、図５（ｂ）に示すように、位置決め用フランジ部２３が座屈変形して、クロスメンバ２０の後方へのスライド移動を許容させることで、衝撃を効果的に吸収するように構成されている。
【００２４】
次に本実施形態のシートバックフレーム構造１０による作用効果を説明する。
【００２５】
本実施形態のシートバックフレーム構造１０では、車両の後突時は、位置決め用フランジ部２３が座屈変形されると共に、クロスメンバ２０がガイド溝３０内の段付きボルト３２によって支持されながら後方にスライド移動するように構成されている。したがって、本実施形態のシートバックフレーム構造１０によれば、後突時における乗員上体のシートバック４への進入を阻害することなく、衝撃を効果的に吸収することができると共に、乗員上体のシート上部への浮き上がりが防止されることで、ヘッドレスト５の拘束性を十分に発揮させることが可能になる。
【００２６】
また、後突時は、段付きボルト３２が縦フレーム１１に固定された状態で、クロスメンバ２０のみが後方にスライド移動される。したがって、本実施形態のシートバックフレーム構造１０によれば、クロスメンバ２０の円滑な移動が保障され、後突時の衝撃を確実に吸収することができる。
【００２７】
また、クロスメンバ２０を縦フレーム１１に組み付ける際は、位置決め用フランジ部２３の後側面を縦フレーム１１の前側面に当接させるのみで、ガイド溝３０内の後端側にボルト挿入孔１１Ａが位置される。その後は、段付きボルト３２をガイド溝３０及びボルト挿入孔１１Ａに挿入してナット部材３３と螺合させるのみで、クロスメンバ２０を容易に組み付けられるように構成されている。したがって、本実施形態のシートバックフレーム構造１０によれば、クロスメンバ２０の位置決め及び組み付け作業性を効果的に向上することができる。
【００２８】
なお、本発明は、上述の実施形態に限定されるものではなく、本発明の趣旨を逸脱しない範囲で、適宜変形して実施することが可能である。
【００２９】
例えば、クロスメンバ２０をスライド移動可能に保持するスライド機構は段付きボルト３２やナット部材３３、ガイド溝３０に限定されず、ガイドレール等で構成することもできる。この場合も上述の実施形態と同様の作用効果を奏することができる。
【符号の説明】
【００３０】
１  車両用シート
２  座部
３  リクライニング装置
４  シートバック
５  ヘッドレスト
１０  シートバックフレーム構造
１１  縦フレーム
１２  上部フレーム
２０  クロスメンバ（横フレーム）
２１  フレーム本体部
２２  組み付け用フランジ部（第２フランジ部）
２３  位置決め用フランジ部（第１フランジ部）
２３Ａ  切り欠きノッチ
３０  ガイド溝
３１  ブッシュ
３２  段付きボルト（保持機構）
３３  ナット部材（保持機構）
【図１】
0006390288.tif 000002
【図２】
0006390288.tif 000003
【図３】
0006390288.tif 000004
【図４】
0006390288.tif 000005
【図５】
0006390288.tif 000006